(57)【特許請求の範囲】
【請求項１】
送信装置から所定の周期で間欠的に無線送信される同期確立用データを受信し、その受信タイミングをもとに前記送信装置との間の同期を確立する無線通信端末において、
クロック発振器が発生する基準クロックをもとに、前記同期確立用データの送信周期に対応する周期で受信目標タイミングを発生する受信目標タイミング発生手段と、
この受信目標タイミング発生手段により発生された受信目標タイミングを基準にそれぞれ所定幅の受信期間を設定し、この受信期間に前記同期確立用データの受信動作を行う受信手段と、
前記クロック発振器の周辺温度を検出するための温度検出手段と、
前記受信目標タイミング発生手段により発生された受信目標タイミングと前記受信手段により受信された前記同期確立用データの実際の受信タイミングとの誤差を求め、この誤差と前記温度検出手段により検出される周囲温度の時間変化とに基づいて、前記受信目標タイミング発生手段が発生する受信目標タイミングを補正するタイミング補正手段とを具備したことを特徴とする無線通信端末。
【請求項２】
前記タイミング補正手段は、
前記受信目標タイミング発生手段により発生された現周期における受信目標タイミングと、当該受信目標タイミングを基準に設定された受信期間に前記受信手段により受信された前記同期確立用データの実際の受信タイミングとの誤差を算出する誤差算出手段と、
前記温度検出手段により検出された現周期における周囲温度と１周期前の周囲温度との温度差を算出する温度差算出手段と、
前記誤差算出手段により算出された誤差と、前記温度差算出手段により算出された温度差とに基づいて、前記受信目標タイミング発生手段が次の周期で発生する受信目標タイミングを補正する手段とを備えることを特徴とする請求項１記載の無線通信端末。
【請求項３】
前記タイミング補正手段は、
前記受信目標タイミング発生手段により発生された現周期における受信目標タイミングと、当該受信目標タイミングを基準に設定された受信期間に前記受信手段により受信された前記同期確立用データの実際の受信タイミングとの誤差を算出する誤差算出手段と、
前記温度検出手段の検出出力をもとに、１周期前の受信目標タイミングから現周期における受信目標タイミングまでの期間における周囲温度の推移を求める温度推移算出手段と、
前記誤差算出手段により算出された誤差と、前記温度推移算出手段により求められた周辺温度の推移とに基づいて、前記受信目標タイミング発生手段が次の周期で発生する受信目標タイミングを補正する手段を備えることを特徴とする請求項１記載の無線通信端末。
【請求項４】
前記タイミング補正手段は、
受信目標タイミングの補正量の上限値を設定する上限値設定手段と、
前記受信目標タイミングと同期確立用データの実際の受信タイミングとの誤差と、前記温度検出手段により検出される周囲温度の時間変化とに基づいて、前記受信目標タイミング発生手段が発生する受信目標タイミングの補正量を算出する補正量算出手段と、
前記補正量算出手段により算出された補正量を前記上限値設定手段により設定された上限値と比較し、前記算出された補正量が上限値を越えた場合には当該上限値をもとに、前記受信目標タイミング発生手段が発生する受信目標タイミングを補正する手段とを備えることを特徴とする請求項１記載の無線通信端末。
【請求項５】
前記タイミング補正手段は、
受信目標タイミングの補正量の下限値を設定する下限値設定手段と、
前記受信目標タイミングと同期確立用データの実際の受信タイミングとの誤差と、前記温度検出手段により検出される周囲温度の時間変化とに基づいて、前記受信目標タイミング発生手段が発生する受信目標タイミングの補正量を算出する補正量算出手段と、
前記補正量算出手段により算出された補正量を前記下限値設定手段により設定された下限値と比較し、前記算出された補正量が下限値を下回った場合には当該下限値をもとに、前記受信目標タイミング発生手段が発生する受信目標タイミングを補正する手段とを備えることを特徴とする請求項１記載の無線通信端末。
【発明の詳細な説明】
【０００１】
【発明の属する技術分野】
この発明は、例えばＣＤＭＡ（Code Division Multiple Access）方式を採用した移動通信システムにおいて使用される無線通信端末に関する。
【０００２】
【従来の技術】
一般に、ＣＤＭＡ方式を採用した移動通信システムでは、基地局が同期確立用データを所定の周期で間欠的に送信し、移動通信端末が自身で生成した受信目標タイミングをもとに上記同期確立用データを受信して、その受信タイミングをもとに上記基地局との間の同期を確立するようになっている。このようにすることで、移動通信端末が基地局と独立した非同期のクロックで動作している場合でも、また基地局と移動通信端末との間の同期状態が無線伝送路上で発生するマルチパスフェージング等の影響を受ける場合でも、移動通信端末と基地局との間の同期状態を維持することが可能となる。
【０００３】
ところで移動通信端末は、消費電力の低減のために、待ち受け中において受信系を上記同期確立用データの到来期間にのみ動作させて他の期間には非動作状態とする、いわゆる間欠受信方式を採用している。しかし、この間欠受信を行うタイミングは、移動通信端末が独自に発生するクロックをもとに制御されるため、基地局から到来する同期確立用データのタイミングに対しずれることがある。この受信タイミングのずれが大きくなると同期確立用データを正確に受信できなくなり、最悪の場合同期外れを起こし非常に好ましくない。
【０００４】
そこで従来では、予測される間欠受信タイミングのずれ量を考慮して十分に広い受信期間を設定するようにしている。
図８は、その一例を示すタイミング図である。同図に示すように移動通信端末は、自端末が生成する受信目標タイミングｔ２と同期確立用データＤＳの実際の受信タイミングｔ１とのタイミング誤差Ｔｂを考慮してマージンＴｍを求める。そして、このマージンＴｍを上記同期確立用データＤＳのデータ長Ｔａの前後に付加して受信期間（Ｔａ＋２Ｔｍ）とし、受信開始タイミングｔ３からこの受信期間（Ｔａ＋２Ｔｍ）だけ受信系を動作させるようにしている。このようにすると、クロックの精度差により受信目標タイミングｔ２が多少ずれたとしても、同期確立用データＤＳを正常に受信することが可能となる。
【０００５】
【発明が解決しようとする課題】
しかしながら、一般に移動通信端末では、消費電力を極力減らすために待ち受け期間中においては消費電力の大きい高速クロック発振器の動作を停止させて低速クロック発振器を動作させるようにしており、上記同期確立用データＤＳの受信目標タイミングｔ２と受信期間（Ｔａ＋２Ｔｍ）もこの低速クロックをもとに生成するようにしている。
【０００６】
一般に低速クロック発振器には、低価格化と低消費電力化が優先されて、温度補償機能を持たない精度の悪い発振器が使用される。このため、間欠受信タイミングのずれ量は大きくなり、このずれ量を吸収するためにはマージンＴｍをさらに大きく設定して受信期間（Ｔａ＋２Ｔｍ）を十分に長くする必要がある。
【０００７】
しかし、このように受信期間を長く設定するとその分受信系の動作時間が長くなるため、かえって消費電力の増大を招く結果になり、間欠受信による消費電力の低減効果が十分に得られなくなる。
【０００８】
この発明は上記事情に着目してなされたもので、その目的とするところは、低精度のクロック発振器を使用する場合でも、待ち受け時の消費電力を増大させることなく同期確立用データを正確に受信できるようにし、これにより同期保持性能が高くかつ低消費電力で安価な無線通信端末を提供することにある。
【０００９】
【課題を解決するための手段】
上記目的を達成するためにこの発明は、無線送信装置から所定の周期で間欠的に送信される同期確立用データを受信し、その受信タイミングをもとに前記無線送信装置との間の同期を確立する無線通信端末において、
クロック発振器が発生する基準クロックをもとに前記同期確立用データの送信周期に対応する周期で受信目標タイミングを発生する受信目標タイミング発生手段と、この受信目標タイミング発生手段により発生された各受信目標タイミングを基準にそれぞれ所定幅の受信期間を設定してこの受信期間に前記同期確立用データの受信動作を行う受信手段とに加え、前記クロック発振器の周辺温度を検出するための温度検出手段と、タイミング補正手段とを新たに備えている。
【００１０】
このタイミング補正手段において、上記受信目標タイミング発生手段により発生された受信目標タイミングと上記受信手段により受信された同期確立用データの実際の受信タイミングとの誤差を求める。そして、この誤差と、上記温度検出手段により検出されるクロック発振器の周囲温度の時間変化とに基づいて、上記受信目標タイミング発生手段が発生する受信目標タイミングを補正するようにしたものである。
【００１１】
したがってこの発明によれば、クロック発振器が温度特性を有していても、その温度変化が検出されてこの検出結果が次周期の受信目標タイミングの決定に反映される。このため、温度補償された受信目標タイミングを発生することが可能となり、これにより受信目標タイミングと実際の受信タイミングとのタイミング誤差を吸収するためのマージンを減らして受信期間を短縮することが可能となる。この結果、同期確立用データの受信品質を高く保持した上で、間欠受信動作に係わる受信系の消費電力を低減することが可能となり、これにより同期保持性能が高くかつ消費電力の少ない無線通信端末を提供することができる。
【００１２】
上記タイミング補正手段としては、次の２つの構成が考えられる。
すなわち、先ず第１の構成は、受信目標タイミング発生手段により発生された現周期における受信目標タイミングと当該受信目標タイミングを基準に設定された受信期間に受信された同期確立用データの実際の受信タイミングとの誤差を算出するとともに、温度検出手段により検出された現周期における周囲温度とその１周期前の周囲温度との温度差を算出する。そして、上記算出されたタイミング誤差と温度差とに基づいて、受信目標タイミング発生手段が次の周期で発生する受信目標タイミングを補正するものである。
【００１３】
一方第２の構成は、受信目標タイミング発生手段により発生された現周期における受信目標タイミングと当該受信目標タイミングを基準に設定された受信期間に受信された同期確立用データの実際の受信タイミングとの誤差を算出するとともに、温度検出手段の検出出力をもとに１周期前の受信目標タイミングから現周期における受信目標タイミングまでの期間におけるクロック発振器の周囲温度の推移を求める。そして、上記算出されたタイミング誤差と温度推移とに基づいて、受信目標タイミング発生手段が次の周期で発生する受信目標タイミングを補正するものである。
【００１４】
第１の構成によれば、各受信目標タイミングにおいてクロック発振器の周囲温度を検出するだけで温度補償を行うことができるので、比較的簡単な処理により実現できる。
【００１５】
一方第２の構成によれば、受信目標タイミング間の温度推移が次の周期における受信目標タイミングの決定に反映されるので、受信目標タイミング間で発生する複雑な温度変動の影響も補償することができ、これによりさらに高精度の温度補償を実現できる。
【００１６】
またこの発明は、上記タイミング補正手段において、受信目標タイミングの補正量の上限値と下限値のうちの少なくとも一方を設定しておく。そして、受信目標タイミングと同期確立用データの実際の受信タイミングとの誤差と、温度検出手段により検出される周囲温度の時間変化とをもとに算出した受信目標タイミングの補正量を、上記設定された上限値または下限値と比較する。この比較の結果、上記算出された補正量が上限値を越えている場合あるいは下限値を下回った場合には、当該上限値あるいは下限値をもとに次の周期の受信目標タイミングを補正することも特徴としている。
【００１７】
一般に、受信目標タイミングと同期確立用データの実際の受信タイミングとの誤差には、クロック発振器自身の精度や温度特性による成分以外に、無線伝送路上で一時的に発生するマルチパスフェージング等による成分も含まれる。このため、上記誤差の算出値が異常な値になった場合にこの誤差をそのまま補正してしまうと、上記マルチパスフェージング等による一時的な誤差成分が定常的な誤差として誤って補正されてしまうことになり、次周期における受信目標タイミングおよび受信期間が誤設定されることになってきわめて好ましくない。
【００１８】
これに対しこの発明では、先に述べたように誤差をもとに算出した補正量が予め設定した上限値を越えるかまたは下限値を下回ると、その原因がクロック発振器自身の精度や温度特性以外であると判断されて、補正量が上記上限値または下限値に設定される。このため、マルチパスフェージング等による一時的な誤差成分が定常的な誤差成分として補正される不具合は防止され、これにより次周期における受信目標タイミングおよび受信期間を常に正しく設定することが可能となる。
【００１９】
【発明の実施の形態】
（第１の実施形態）
図１は、この発明に係わる無線通信端末の第１の実施形態であるＣＤＭＡ移動通信端末の構成を示す回路ブロック図である。
【００２０】
図示しない基地局から送信された無線信号は、アンテナ１１で受信されたのち無線部１に入力される。無線部１では、上記無線信号をアンテナ共用器１２（ＤＵＰ）を介して受信回路（ＲＸ）１３に入力し、この受信回路１３において周波数シンセサイザ（ＳＹＮ）１４から出力された受信局部発振信号とミキシングして中間周波信号に周波数変換する。なお、上記周波数シンセサイザ１４から発生される受信局部発振信号の周波数は、制御部５から出力される制御信号ＳＹＣによって設定される。
【００２１】
上記受信中間周波信号はＣＤＭＡ信号処理部２に入力される。ＣＤＭＡ信号処理部２では、上記受信中間周波信号を先ず受信チャネルに割り当てられた拡散符号により逆拡散処理し、続いて例えばＱＰＳＫ（Quadriphase Phase Shift Keying）変調方式に対応する直交復調を行い、これによりデータレートに応じた所定のフォーマットの復調データに変換する。そしてこの変換された復調データを圧縮伸張処理部３に入力する。
【００２２】
圧縮伸張処理部３は、上記ＣＤＭＡ信号処理部２から出力された復調データに対し、制御部５から通知される受信データレートに応じた伸長処理を施したのち、ビタビ復号などを用いた復号処理及び誤り訂正復号処理を行って、ベースバンドの受信音声データ又は受信パケットデータを再生する。そして、受信音声データはＰＣＭ符号処理部４へ、また電子メールなどの受信パケットデータは制御部５へそれぞれ出力する。
【００２３】
ＰＣＭ符号処理部４は、圧縮伸張処理部３から出力された受信音声ディジタルデータをＰＣＭ復号してアナログ受話信号を出力する。このアナログ受話信号は、受話増幅器４１で増幅されたのちスピーカ４２より拡声出力される。
【００２４】
制御部５は、上記圧縮伸張処理部３から出力された電子メールなどの受信パケットデータをデパケットして記憶部５３に格納すると共に、入力部５１によるユーザの表示操作に従い記憶部５３から読み出して表示部５２に表示する。なお、移動通信端末にノート型パーソナル・コンピュータなどのパーソナル・コンピュータが接続される場合には、上記受信パケットデータを図示しない外部インタフェースを介してこのパーソナル・コンピュータへ出力することも可能である。
【００２５】
一方、音声通信時においてマイクロホン４３に入力された話者の入力音声信号は、送話増幅器４４により適正レベルまで増幅されたのち、ＰＣＭ符号処理部４にてＰＣＭ符号化処理が施され、送信音声データとして圧縮伸張処理部３に入力される。また、制御部５において作成された電子メールなどのパケットデータは、制御部５から圧縮伸張処理部３に入力される。
【００２６】
圧縮伸張処理部３は、音声通信時には、ＰＣＭ符号処理部４から出力された送信音声データより入力音声のエネルギー量を検出し、この検出結果に基づいてデータレートを決定する。そして、上記送信音声データを上記データレートに応じたフォーマットの信号に圧縮し、さらに誤り訂正符号化処理を施したのちＣＤＭＡ信号処理部２へ出力する。これに対し、パケットデータ送信時には、制御部５から出力された送信パケットデータに対し誤り訂正符号化処理を施してＣＤＭＡ信号処理部２へ出力する。
【００２７】
ＣＤＭＡ信号処理部２は、上記圧縮伸張処理部３において圧縮された送信データにより搬送波信号を例えばＱＰＳＫ変調し、この変調された搬送波信号に対して、送信チャネルごとに割り当てられたＰＮ符号を用いてスペクトラム拡散処理を施す。そして、この拡散符号化された送信信号を無線部１の送信回路（ＴＸ）１５へ出力する。
【００２８】
送信回路１５は、上記拡散符号化された送信信号を、周波数シンセサイザ１４から発生される送信局部発振信号と合成して無線周波信号に周波数変換する。そして、送信回路１５は、制御部５により通知される送信データレートに基づいて、上記無線周波信号の有効部分だけを高周波増幅し、送信無線周波信号として出力する。この送信回路１５から出力された送信無線周波信号は、アンテナ共用器１２を介してアンテナ１１に供給され、このアンテナ１１から接続中の基地局へ向けて送信される。
【００２９】
入力部５１には、ダイヤルキーや発信キー、電源キー、終了キー、音量調節キー、モード指定キーなどのキー群が設けられている。また表示部５２には、ＬＣＤ表示器やＬＥＤランプが設けられている。ＬＣＤ表示器には、通信相手の端末の電話番号や自端末の動作状態をはじめ、送受信メールなどが表示される。またＬＥＤランプは、バッテリ７１のDischarge 状態を表示するために使用される。なお、７は電源部であり、バッテリ７１の出力をもとに電源回路７２で所定の動作電源電圧Ｖccを生成して各回路部に供給する。
【００３０】
また、この移動通信端末はタイミング回路６を備えている。このタイミング回路６は所定速度の基準クロックを発生し、この基準クロックを制御部５をはじめ動作クロックを必要とする端末内の各回路部に供給する。
【００３１】
ところでこの移動通信端末は、待ち受け期間中に間欠受信動作を行いながら基地局に対する同期を確立して維持するための機能を備えている。図２はこの同期確立維持機能を実現するための構成を示す回路ブロック図であり、前記図１と同一部分には同一符号を付してある。
【００３２】
ＣＤＭＡ信号処理部２には受信タイミング生成部２１が設けてあり、制御部５にはタイミング誤差調整部５４および温度情報管理部５５が設けてある。またタイミング回路６には、高速クロック発振器６１と、低速クロック発振器６２と、温度検出器６３とが設けてある。
【００３３】
高速クロック発振器６１は、温度補償機能を備えた高精度で高周波数のクロックＣＬＫ１を発生し、この高速クロックＣＬＫ１を上記受信タイミング生成部２１、タイミング誤差調整部５４および温度情報管理部５５にそれぞれ供給する。高速クロック発振器６１は、高精度である反面消費電力が大きいため、制御部５の指示により送受信動作期間中にのみ動作する。
【００３４】
これに対し低速クロック発振器６２は、上記高速クロック発振器６１に比べ低周波数で低精度のクロックＣＬＫ２を発生し、この低速クロックＣＬＫ２を上記受信タイミング生成部２１、タイミング誤差調整部５４および温度情報管理部５５にそれぞれ供給する。低速クロック発振器６２は、温度補償機能を持たず前記高速クロック発振器６１に比べて精度が低いが低消費電力でかつ低価格であり、常時動作する。
【００３５】
温度検出器６３は、上記低速クロック発振器６２の周辺温度を検出するために設けられたもので、その温度検出データＴＭを温度情報管理部５５に供給する。
【００３６】
温度情報管理部５５は、受信タイミング生成部２１から受信開始タイミング通知ＲＳが与えられた時点で上記温度検出器６３から温度検出データを取り込む。そして、この現周期において取り込んだ温度検出データと、１周期前に取り込んだ温度検出データとをもとに両検出温度間の温度差を算出し、この算出した温度差データを温度変化情報ＴＣとしてタイミング誤差調整部５４に通知する。
【００３７】
タイミング誤差調整部５４は、無線部１から同期タイミング情報ＳＴが到来したことに応じて、上記温度変化情報ＴＣと予め記憶してある温度検出器６３自身の温度特性とに基づいて、受信タイミング誤差の上限値および下限値を算出する。
【００３８】
また、受信目標タイミングと同期確立用データの実際の受信タイミング（同期タイミング）との誤差を算出し、このタイミング誤差が上記上限値と下限値との間の範囲内に収まっているか否かを判定する。そして、収まっていれば、上記タイミング誤差をそのままタイミング誤差情報ＴＧとして受信タイミング生成部２１に与える。一方、上限値を越えている場合にはこの上限値を、また下限値を下回っている場合にはこの下限値をそれぞれ選択して、これをタイミング誤差情報ＴＧとして受信タイミング生成部２１に与える。
【００３９】
受信タイミング生成部２１は、無線部１から同期タイミング情報ＳＴが到来したことに応じて、その同期タイミング、受信周期情報およびタイミング誤差情報ＴＧに基づいて、次周期の同期確立用データの受信目標タイミングを決定する。そして、この受信目標タイミングと受信期間とから受信開始タイミングを決定する。その後受信タイミング生成部２１は、この受信開始タイミングになったか否かを主として低速クロックＣＬＫ２をカウントすることにより監視し、受信開始タイミングになると無線部１に受信開始タイミング情報ＲＳを通知する。またそれとともに、同期確立用データ長に所定のマージンを付加することにより同期確立用データの受信ウィンドウとなる受信期間を設定し、この受信期間を受信期間指定情報ＲＷとして無線部１に通知する。
【００４０】
次に、以上のように構成された移動通信端末における同期確立維持動作とそのための受信タイミング制御動作を説明する。
【００４１】
まず無線部１は、待ち受け状態において間欠受信モードに移行すると、次のように間欠受信動作を実行する。図３はその手順と内容を示すフローチャートである。間欠受信動作は、間欠受信モードが解除されるまで継続して行われる。
【００４２】
すなわち、間欠受信モードに移行すると無線部１は、通常は受信動作を停止し、この状態で受信タイミング生成部２１からの受信開始タイミング情報ＲＳの通知を待ち受けている（ステップＳＴ３０１）。そして、受信タイミング生成部２１から受信開始タイミング情報ＲＳが通知されると、受信タイミング生成部２１から通知された受信期間指定情報ＲＷを取り込み、ステップＳＴ３０２においてタイマを起動して、この受信期間指定情報ＲＷに示される受信期間の計時を開始する。そして、以後ステップＳＴ３０３において同期確立用データＳＤの受信動作を開始する。また無線部１は、上記受信動作を行っている状態で、ステップＳＴ３０４により上記タイマのタイムアップを監視する。そしてタイマがタイムアップすると、受信期間が終了したものと判断して受信動作を停止する（ステップＳＴ３０５）。
【００４３】
またこの受信動作停止後に無線部１は、ステップＳＴ３０６において、今周期における受信結果に基づいて同期確立用データの受信タイミング（先頭タイミング）を算出し、この受信タイミングを示す同期タイミング情報ＳＴを受信タイミング生成部２１およびタイミング誤差生成部５４に対し出力する（ステップＳＴ３０７）。そして同期タイミング情報ＳＴの出力が終了すると無線部１は、これをもって今周期における受信タイミングに関する処理を終え、ステップＳＴ３０１に戻る。
【００４４】
さて、上記無線部１から同期タイミング情報ＳＴが与えられると、受信タイミング生成部２１はこの同期タイミング情報ＳＴをトリガとして後述する動作を実行するが、この動作の説明に先立ち温度情報管理部５５及びタイミング誤差調整部５４の動作につき説明する。図４および図５はそれぞれ、温度情報管理部５５及びタイミング誤差調整部５４の動作手順とその内容を示すフローチャートである。
【００４５】
まず温度情報管理部５５は、ステップＳＴ４０１において受信開始タイミング情報ＲＳの通知を待ち受けている。この状態で、受信開始タイミング情報ＲＳが通知されると、温度検出器６３から出力される温度検出データＴＭをステップＳＴ４０２で取り込み、この温度検出データＴＭと１周期前の周期において取り込んだ温度検出データＴＭとから、１周期前の受信開始タイミングから今周期の受信開始タイミングまでの間に低速クロック発振器６２の周辺において発生した温度差を算出する（ステップＳＴ４０３）。そして、この温度差の算出を終了すると、温度情報管理部５５はステップＳＴ４０１に戻り、新たな受信開始タイミング通知が到来するのを待つ。なお、この待ち受け期間において温度情報管理部５５は、ステップＳＴ４０３で算出した温度差を示す温度変化情報ＴＣをタイミング誤差調整部５４へ常時出力する。
【００４６】
一方、タイミング誤差調整部５４は、図５に示すようにステップＳＴ５０１において、無線部１から同期タイミング情報ＳＴが到来するのを待ち受けている。この状態で、同期タイミング情報ＳＴが到来すると、温度情報管理部５５が出力している温度変化情報ＴＣをステップＳＴ５０２で取り込む。そして、ステップＳＴ５０３において、この取り込んだ温度変化情報ＴＣと、予め記憶している低速クロック発振器６２の温度特性などに基づいて、受信タイミング生成部２１において次周期の受信目標タイミングの決定に反映させるためのタイミング誤差の上限値及び下限値を算出する。
【００４７】
次にタイミング誤差調整部５４は、ステップＳＴ５０４により無線部１から同期タイミング情報ＳＴを、またステップＳＴ５０５により受信タイミング生成部２１から受信目標タイミング情報ＲＴをそれぞれ取り込む。そして、これらのタイミング情報ＳＴ，ＲＴをもとに、ステップＳＴ５０６において、受信タイミング生成部２１で算出された受信目標タイミングと、無線部１で実際に同期確立用データＳＤを受信した受信タイミングとのタイミング誤差を算出する。
【００４８】
続いてタイミング誤差調整部１１２は、ステップＳＴ５０７において、この算出したタイミング誤差をステップＳＴ５０３で算出した上限値及び下限値とそれぞれ比較する。そして、タイミング誤差が上限値より大きい場合には、ステップＳＴ５０８により上限値をタイミング誤差情報として選択する。またタイミング誤差が下限値より小さい場合には、ステップＳＴ５０９により下限値をタイミング誤差情報として選択する。一方、タイミング誤差が上限値以下でかつ下限値以上の場合には、ステップＳＴ５１０によりタイミング誤差をそのままタイミング誤差情報として選択する。そして、こうして選択したタイミング誤差情報ＴＧを受信タイミング生成部２１へ出力する。
【００４９】
なお、このタイミング誤差情報ＴＧの算出が終了すると、タイミング誤差調整部５４はステップＳＴ５０１に戻り、新たな同期タイミング情報ＳＴが到来するのを待つ。
【００５０】
さて、受信タイミング生成部２１は、通常時には図６に示すようにステップＳＴ６０１により無線部１から同期タイミング情報ＳＴが到来するのを待っている。そして、無線部１から同期タイミング情報ＳＴが到来すると、この到来した同期タイミング情報ＳＴをステップＳＴ６０２で取り込む。
【００５１】
続いて受信タイミング生成部２１は、タイミング誤差調整部５４から出力されるタイミング誤差情報ＴＧをステップＳＴ６０３で取り込み、このタイミング誤差情報ＴＧと、制御部５により指定された受信周期情報が示す受信周期と、ステップＳＴ６０２で取り込んだ同期タイミング情報ＳＴが示す同期タイミングとに基づいて、次周期において同期確立用データＳＤを受信するために使用する受信目標タイミングを算出する（ステップＳＴ６０４）。また受信タイミング生成部２１は、ステップＳＴ６０５において同期確立用データＳＤのデータ長に所定のマージンを付加して受信期間を設定し、この受信期間と上記ステップＳＴ６０４で算出した受信目標タイミングとに基づいて、次の周期において同期確立用データＳＤの受信動作を開始するためのタイミング（受信開始タイミング）を算出する（ステップＳＴ６０６）。
【００５２】
そうして受信開始タイミングが算出されると、受信タイミング生成部１１３は、以後この算出した受信開始タイミングの到来をステップＳＴ６０７により監視する。この受信開始タイミングの到来監視は、主として低速クロック発振器６２から発生される低速クロックＣＬＫ２をカウントすることにより行われ、受信開始タイミングの到来直前からは高速クロック発振器６１から発生される高速クロックＣＬＫ１に基づいて高精度に行われる。なお、受信タイミング生成部２１が高速クロックＣＬＫ１を使用しない期間に、高速クロック発振器６１の発振動作は停止される。
【００５３】
さて、受信開始タイミングになると受信タイミング生成部２１は、ステップＳＴ６０８により、無線部１に対して受信開始タイミング情報ＲＳを出力する。また同時に、先にステップＳＴ６０５で設定した受信期間を示す情報ＲＷを無線部１に通知する。この結果無線部１では、前述したように同期確立用データＳＤの受信動作が開始されることになる。受信タイミング生成部２１は、ステップＳＴ６０８で受信開始タイミング情報ＲＳを出力すると、ステップＳＴ６０１に戻る。そして、上述のように開始された受信動作結果として無線部１から出力される同期タイミング情報ＳＴの到来を待つ。
【００５４】
以上のように第１の実施形態では、各周期の受信開始タイミングに同期して低速クロック発振器６２の周囲温度を温度検出器６３で検出し、この温度検出器６３の温度検出データＴＭをもとに温度情報管理部５５において各周期の受信開始タイミング間の温度差を算出している。そして、タイミング誤差調整部５４において、上記算出された温度差による誤差成分を反映させて調整したタイミング誤差情報ＴＧを算出し、受信タイミング生成部２１において上記タイミング誤差情報ＴＧをもとに次の周期における受信開始タイミングと受信期間をそれぞれ決定して、これらのタイミング情報に従い無線部１に間欠受信動作を行わせるようにしている。
【００５５】
従って第１の実施形態によれば、前記周期において設定した受信目標タイミングと同期確立用データを実際に受信できたタイミングとのタイミング誤差を反映して、次の周期における受信目標タイミングを決定する際に、１周期前から現周期までの低速クロック発振器６２の周辺で発生する温度変化を考慮してタイミング誤差が調整される。このため、低速クロックＣＬＫ２の温度変動が補償されて受信目標タイミングの精度は高められる。このように受信目標タイミングの誤差を縮小することで、受信期間に含めるマージンを最小限に抑えることが可能となり、これにより間欠受信における受信動作期間を短縮して待ち受け時の消費電力をさらに低減することが可能となる。
【００５６】
また第１の実施形態では、タイミング誤差調整部５４において、温度情報管理部５５から取り込んだ温度変化情報ＴＣと、予め記憶している温度検出器６３自身の温度特性などに基づいて、タイミング誤差の上限値及び下限値を算出する。そして、算出したタイミング誤差を上限値及び下限値と比較し、タイミング誤差が上限値を上回った場合および下限値を下回った場合には上記タイミング誤差を当該上限値または下限値に設定し、この上限値または下限値をもとに受信目標タイミングを決定するようにしている。
【００５７】
従って、タイミング誤差が上限値を越えるかまたは下限値を下回ると、その原因が低速クロック発振器６２自身の精度や温度特性以外の例えばマルチパスフェージングによるものと判断されて、タイミング誤差が上記上限値または下限値に設定される。このため、マルチパスフェージング等による一時的な誤差成分が定常的な誤差成分として補正される不具合は防止され、これにより次周期における受信目標タイミングおよび受信期間を常に正しく設定することが可能となる。
【００５８】
（第２の実施形態）
この発明の第２の実施形態は、低速クロック発振器６２の周辺温度変化を管理する際に、１周期前の時点から現周期の時点までの温度推移を検出し、この温度推移をタイミング誤差の調整に反映させるようにしたものである。
【００５９】
図７は、この第２の実施形態における温度情報管理部の動作手順と動作内容を示すフローチャートである。なお、この実施形態における移動通信端末の回路構成は、第１の実施形態で述べた図１および図２と同一なのでここでの説明は省略する。
【００６０】
温度情報管理部５５は、図７に示すように先ずステップＳＴ７０１において、温度検出器６３が出力する温度検出データＴＭを、間欠受信周期より短く設定した所定のサンプリング間隔で取り込み、この温度検出データＴＭを取り込むごとに当該データをもとに自己が保持している温度の統計情報をステップＳＴ７０２により更新する。ここで統計情報とは、例えば間欠受信動作の過去の１周期分の期間における温度変化の様子を記録した情報である。
【００６１】
温度情報管理部５５は、ステップＳＴ７０３において受信タイミング生成部２１からの受信開始タイミング情報ＲＳの通知を監視しながら、上記ステップＳＴ７０１及びステップＳＴ７０２の動作を繰り返し実行している。そして、この状態で受信開始タイミング情報ＲＳが通知されると、ステップＳＴ７０５において、上記温度の統計情報に基づき１周期前の受信開始タイミング通知時点から今周期の受信開始タイミング通知時点までの間における温度推移を予測する。
【００６２】
そして、この温度推移の予測処理を終了すると温度情報管理部５５は、ステップＳＴ７０１に戻って、上記ステップＳＴ７０１及びステップＳＴ７０２による温度監視動作を繰り返し実行しながら、ステップＳ７０３で新たな受信開始タイミング通知が到来するのを待つ。なお、この受信開始タイミング通知の到来監視期間中において温度情報管理部５５は、ステップＳＴ７０５で算出された温度推移を示す温度変化情報ＴＣをタイミング誤差調整部５４へ常時出力する。
【００６３】
以上述べたように第２の実施形態では、算出した受信目標タイミングと実際に同期確立用データＳＤを受信できたタイミングとのタイミング誤差に対し、温度変化の統計に基づいて予測される温度推移を考慮して調整を行ったのちに受信目標タイミングの決定に反映するようにしている。従って、受信目標タイミングをさらに適正に決定することができるようになり、これにより受信期間のマージンをさらに短縮して、間欠受信動作における消費電力をさらに低減することが可能となる。
【００６４】
（その他の実施形態）
第１の実施形態において、現周期で検出した温度と１周期前に検出した温度との差を算出する際に、温度検出器６３自身が有する温度検出特性を考慮するようにしてもよい。このようにすると、温度検出器６３の温度検出特性の非直線性を補正して、さらに正確な温度差を求めることができる。
【００６５】
第２の実施形態では、受信開始タイミングの監視期間中に定期的に温度情報を取り込んで統計情報を更新するようにしている。しかしこのようにすると、検出した温度値をディジタル値に変換するためのアナログ・ディジタル変換器など、温度検出に必要なセクションに対し頻繁に電源を供給することになり、消費電力の観点で好ましくない。
【００６６】
そこで、温度検出周期を受信開始タイミング通知の到来周期に一致させ、受信開始ごとに温度を検出する。そして、複数の受信開始タイミングで検出した温度情報をもとに受信開始タイミングの監視期間中における温度変化を補完し、この補完された温度情報をもとに受信目標タイミングを決定するようにしてもよい。このようにすることで、温度検出に要する消費電力を低減して端末の待ち受け時間をさらに延ばすことが可能となる。
【００６７】
前記各実施形態では、受信タイミングの制御を、温度情報管理部５５、タイミング誤差調整部５４および受信タイミング生成部２１等のハードウエアを用いて実現した場合を例にとって述べた。しかし、これに限るものではなくすべての動作をソフトウエアにより実行させることも可能である。これは、例えば受信制御プログラムにより制御部５のマイクロプロセッサを実行させることにより実現できる。
【００６８】
また、前記各実施形態ではＣＤＭＡ移動通信システムで使用される携帯電話端末を例にとって説明したが、同様の移動通信システムで使用される携帯情報端末（ＰＤＡ：Personal Digital Assistants）や、ＣＤＭＡ方式を採用した放送システムで使用される車載型の受信端末等にも適用可能である。
【００６９】
【発明の効果】
以上詳述したようにこの発明では、クロック発振器の周辺温度を検出するための温度検出手段と、タイミング補正手段とを新たに備え、このタイミング補正手段において、受信目標タイミング発生手段により発生された受信目標タイミングと上記受信手段により受信された同期確立用データの実際の受信タイミングとの誤差を求める。そして、このタイミング誤差と、上記温度検出手段により検出されるクロック発振器の周囲温度の時間変化とに基づいて、上記受信目標タイミング発生手段が発生する受信目標タイミングを補正するようにしている。
【００７０】
したがってこの発明によれば、低精度のクロック発振器を使用する場合でも、待ち受け時の消費電力を増大させることなく同期確立用データを正確に受信することができ、これにより同期保持性能が高くかつ低消費電力で安価な無線通信端末を提供することができる。
【図面の簡単な説明】
【図１】  この発明に係わる無線通信端末の第１の実施形態である移動通信端末の構成を示す回路ブロック図。
【図２】  図１に示した移動通信端末の同期確立維持機能を実現するための構成を示す回路ブロック図。
【図３】  図１に示した無線部の間欠受信動作を説明するためのフローチャート。
【図４】  図２に示した温度情報管理部の処理動作を説明するためのフローチャート。
【図５】  図２に示したタイミング誤差調整部の処理動作を説明するためのフローチャート。
【図６】  図２に示した受信タイミング生成部の処理動作を説明するためのフローチャート。
【図７】  この発明の第２の実施形態に係わる移動通信端末における温度情報管理部の処理動作を説明するためのフローチャート。
【図８】  間欠受信を伴う同期維持動作の一例を説明するためのタイミング図。
【符号の説明】
１…無線部
２…ＣＤＭＡ信号処理部
３…圧縮伸張処理部
４…ＰＣＭ符号処理部
５…制御部
６…タイミング回路
７…電源部
１１…アンテナ
１２…アンテナ共用器（ＤＵＰ）
１３…受信回路（ＲＸ）
１４…周波数シンセサイザ（ＳＹＮ）
１５…送信回路（ＴＸ）
２１…受信タイミング生成部
４１…受話増幅器
４２…スピーカ
４３…マイクロホン
４４…送話増幅器
５１…入力部
５２…表示部
５３…記憶部
５４…タイミング誤差調整部
５５…温度情報管理部
６１…低速クロック発振器
６２…低速クロック発振器
６３…温度検出器
７１…バッテリ
７２…電源回路
ＲＴ…受信周期情報
ＳＴ…同期タイミング情報
ＲＷ…受信期間指定情報
ＲＳ…受信開始タイミング情報
ＴＧ…タイミング誤差情報
ＴＭ…温度検出データ
ＴＣ…温度変化情報
ＣＬＫ１…高速クロック
ＣＬＫ２…低速クロック
【図１】
0004601862.tif 000002
【図２】
0004601862.tif 000003
【図３】
0004601862.tif 000004
【図４】
0004601862.tif 000005
【図５】
0004601862.tif 000006
【図６】
0004601862.tif 000007
【図７】
0004601862.tif 000008
【図８】
0004601862.tif 000009